(57)【特許請求の範囲】
【請求項１】
複数のコンポーネントキャリアを含むシステム帯域で無線通信を行う移動端末装置の上りリンクの送信電力を制御する送信電力制御方法であって、
無線基地局装置で生成された所定のコンポーネントキャリアに対応するＴＰＣコマンドを受信するステップと、
前記無線基地局装置で測定された前記複数のコンポーネントキャリア間の受信品質差を補償するオフセット情報を受信するステップと、
受信した前記ＴＰＣコマンドを、前記所定のコンポーネントキャリアと、前記所定のコンポーネントキャリアと周波数特性の異なるコンポーネントキャリアと、に対して共通に適用して、前記オフセット情報を考慮して各コンポーネントキャリアの送信電力を設定するステップと、を有することを特徴とする送信電力制御方法。
【請求項２】
前記オフセット情報は、前記各コンポーネントキャリア間の受信品質差が考慮された各コンポーネントキャリア固有の目標受信電力に関する情報であることを特徴とする請求項１に記載の送信電力制御方法。
【請求項３】
前記各コンポーネントキャリアの送信電力が以下の式（１）で求められることを特徴とする請求項１又は請求項２に記載の送信電力制御方法。
PPUSCH(i)＝min{PCMAX,10log10(MPUSCH(i))+P0_PUSCH(j)+α(j)・PL+ΔTF(i)+f(i)}
…式（１）
ここで、PCMAXは最大送信電力であり、MPUSCHは送信帯域幅であり、P0_PUSCHは目標受信電力（PL０の場合）であり、αはフラクショナルTPCの重み係数であり、PLはパスロス測定値であり、ΔTFはMCSに依存するオフセットであり、f(i)はTPCコマンドによる補正値である。
【請求項４】
複数のコンポーネントキャリアを含むシステム帯域で無線通信を行う移動端末装置であって、
無線基地局装置で生成された所定のコンポーネントキャリアに対応するＴＰＣコマンドを受信するＴＰＣコマンド受信部と、
前記ＴＰＣコマンド受信部で受信した前記ＴＰＣコマンドを、前記所定のコンポーネントキャリアと、前記所定のコンポーネントキャリアと周波数特性の異なるコンポーネントキャリアと、に対して共通に適用して、前記無線基地局装置で測定された前記複数のコンポーネントキャリア間の受信品質差を補償するオフセット情報を考慮して各コンポーネントキャリアの送信電力を設定する送信電力設定部と、を有することを特徴とする移動端末装置。
【請求項５】
前記複数のコンポーネントキャリア間の受信品質差が考慮された各コンポーネントキャリア固有の目標受信電力に関する情報を受信する目標受信電力受信部をさらに有し、
前記送信電力設定部は、前記目標受信電力情報を前記各コンポーネントキャリアの送信電力の設定にそれぞれ適用することを特徴とする請求項４に記載の移動端末装置。
【請求項６】
前記送信電力設定部は、以下の式（２）を用いて前記各コンポーネントキャリアの送信電力を求めることを特徴とする請求項４又は請求項５に記載の移動端末装置。
PPUSCH(i)＝min{PCMAX,10log10(MPUSCH(i))+P0_PUSCH(j)+α(j)・PL+ΔTF(i)+f(i)}
…式（２）
ここで、PCMAXは最大送信電力であり、MPUSCHは送信帯域幅であり、P0_PUSCHは目標受信電力（PL０の場合）であり、αはフラクショナルTPCの重み係数であり、PLはパスロス測定値であり、ΔTFはMCSに依存するオフセットであり、f(i)はTPCコマンドによる補正値である。
【請求項７】
複数のコンポーネントキャリアを含むシステム帯域で無線通信を行う移動端末装置に対して、各コンポーネントキャリア間の受信品質差を測定し、前記受信品質差を考慮した各コンポーネントキャリア固有の目標受信電力を生成して前記移動端末装置に通知する目標受信電力生成部と、
前記複数のコンポーネントキャリアにそれぞれ対応するＴＰＣコマンドを生成して前記移動端末装置に通知するＴＰＣコマンド生成部と、を有し、
所定のコンポーネントキャリアに対応する前記ＴＰＣコマンドは、前記所定のコンポーネントキャリアと、前記所定のコンポーネントキャリアと周波数特性の異なるコンポーネントキャリアと、に対して共通に適用して、前記目標受信電力を考慮して各コンポーネントキャリアの送信電力を設定するために前記移動端末装置によって用いられることを特徴とする無線基地局装置。
【発明の詳細な説明】
【技術分野】
【０００１】
本発明は、移動端末装置の上りリンクの送信電力を制御する送信電力制御方法、移動端末装置及び無線基地局装置に関する。
【背景技術】
【０００２】
３ＧＰＰ（3rd  Generation  Partnership  Project）で規定されるＬＴＥ（Long  Term  Evolution）システムでは、上りリンクにおいて、低いピーク対平均電力比（ＰＡＰＲ：Peak-to-Average  Power  Ratio）を実現し、カバレッジの増大に有効であるＳＣ−ＦＤＭＡ（Single-Carrier  Frequency  Division  Multiple  Access）が採用されている。よって、無線基地局装置（ＢＳ：Base  Station）でのスケジューリングにより、基本的には、ある周波数及び時間の無線リソースを一つの移動端末装置（ＵＥ：User  Equipment）に割り当てるため、同一セル内のユーザ間は周波数及び時間領域で直交している。しかしながら、ＬＴＥシステムでは、１セル周波数繰り返しをベースとするため、周辺セルからの干渉が大きく、特にセル端に存在するＵＥからの干渉レベルは高い。このため、このような周辺セル干渉を補償し一定の受信品質を維持するため、セル間干渉の対策が必要となる。
【０００３】
セル間干渉対策として、上りリンクの送信電力制御の果たす役割は大きく、無線基地局装置は、ユーザと無線基地局装置との間の伝搬ロス、及び、周辺セルに与える干渉を考慮して、所要の受信品質を満たすように移動端末装置の送信電力を制御することが要求される。ＬＴＥシステムにおいては、セル間干渉を考慮した送信電力制御法として、Fractional送信電力制御が採用されている。
【０００４】
具体的に、ＬＴＥシステムの上りリンクで送信する信号（ＰＵＳＣＨ（Physical  Uplink  Shared  Channel）、ＰＵＣＣＨ（Physical  Uplink  Control  Channel）、ＳＲＳ（Sounding  Reference  Signal））などの送信電力は、無線基地局装置が比較的長周期で通知するパラメータ（Po、α等）及び移動端末装置が測定する伝搬損失（ＰＬ）による開ループ制御と、無線基地局装置と移動端末装置との間の通信状況（例えば、無線基地局装置での受信ＳＩＮＲ（Signal  to  Interference  plus  Noise  Power  Ratio））に基づいて無線基地局装置が比較的短周期で通知するＴＰＣコマンドによる閉ループ制御との組み合わせにより制御される。具体的に、ＰＵＳＣＨの送信電力は下記式（１）で与えられる（例えば、非特許文献１参照）。
【０００５】
PPUSCH(i)＝min{PCMAX,10log10(MPUSCH(i))+P0_PUSCH(j)+α(j)・PL+ΔTF(i)+f(i)}
…式（１）
【０００６】
ここで、PCMAXは最大送信電力であり、MPUSCHは送信帯域幅であり、P0_PUSCHは目標受信電力に係るパラメータであり、αはフラクショナルＴＰＣの重み係数であり、ＰＬはパスロス測定値であり、ΔTFはＭＣＳに依存するオフセットであり、ｆ（ｉ）はＴＰＣコマンドによる補正値である。
【０００７】
このFractional送信電力制御は、移動端末装置の伝搬損失（ＰＬ）に応じて目標受信電力を設定（開ループ制御のパラメータαで実現）することにより、セル間干渉を低減することができる。
【０００８】
また、無線基地局装置と移動端末装置との間で行われる閉ループＴＰＣでは、例えば、無線基地局装置において平均化時間ｔで平均化した受信ＳＩＮＲと目標受信ＳＩＮＲとの差分を計算し、この差分をＴＰＣコマンドとして移動端末装置に通知することにより、移動端末装置の送信電力を制御している。
【先行技術文献】
【非特許文献】
【０００９】
【非特許文献１】3GPP,  TS  36.213,  V8.7.0,  “Evolved  Universal  Terrestrial  Radio  Access  (E-UTRA);  Physical  layer  procedures”
【発明の概要】
【発明が解決しようとする課題】
【００１０】
ところで、３ＧＰＰにおいては、更なる広帯域化及び高速化を目的として、ＬＴＥの後継のシステム（例えば、LTE-Advanced（ＬＴＥ−Ａ））も検討されている。ＬＴＥ−Ａでは、複数のコンポーネントキャリア（ＣＣ：component  carrier）で広帯域化するキャリアアグリゲーション（ＣＡ：carrier  aggregation）の適用が検討されている。この場合、コンポーネントキャリア毎に上りリンクの送信電力を適切に制御することが要求される。
【００１１】
例えば、キャリアアグリゲーションの導入に伴い、上りリンク送信電力制御のパラメータ（P0_PUSCH等の開ループＴＰＣパラメータ、ｆ（ｉ）の閉ループＴＰＣパラメータ）を全て複数のコンポーネントキャリア毎にそれぞれ設定する方法が考えられる。
【００１２】
一般的に、閉ループＴＰＣパラメータであるｆ（ｉ）は、Ｌ１／Ｌ２シグナリングで送られるＴＰＣコマンドにより制御される。また、ＴＰＣコマンドは、上りリンクの周波数スケジューリング情報を含むＵＬスケジューリンググラント（UL  grant（DCI  format0））、又は複数のＵＥのＴＰＣコマンドをまとめたgroup  TPC  command（DCI  format3/3A）により、下りリンク制御チャネル（ＰＤＣＣＨ）を介して送られる。
【００１３】
しかし、UL  grant（DCI  format0）を用いて、各コンポーネントキャリアに適用するＴＰＣコマンドを送信する場合には、上りリンク伝送に割り当てられていないコンポーネントキャリアに対しては、UL  grantによるＴＰＣコマンドを送ることができないため、当該コンポーネントキャリアにおけるSounding  RSや、送信間隔を置いた後の初回データの伝送等において、ｆ（ｉ）が適切な値に設定されないおそれがある（図１４のＣＣ＃２参照）。
【００１４】
一方で、group  TPC  command（DCI  format3/3A）を用いて、各コンポーネントキャリアに適用するＴＰＣコマンドを送信する場合には、コンポーネントキャリア数に比例してＬ１／Ｌ２シグナリングオーバーヘッドが増大してしまう問題がある。また、group  TPC  commandは複数のＵＥに対してまとめて送られるため、割り当ての柔軟性が得られないという問題もある。
【００１５】
本発明はかかる点に鑑みてなされたものであり、複数のコンポーネントキャリアを含むシステム帯域で無線通信を行う移動端末装置において、各コンポーネントキャリアにおける上りリンクの送信電力を適切に制御できる送信電力制御方法、移動端末装置及び無線基地局装置を提供することを目的の一とする。
【課題を解決するための手段】
【００１６】
本発明の送信電力制御方法の一は、複数のコンポーネントキャリアを含むシステム帯域で無線通信を行う移動端末装置の上りリンクの送信電力を制御する送信電力制御方法であって、無線基地局装置で生成された所定のコンポーネントキャリアに対応するＴＰＣコマンドを受信するステップと、前記無線基地局装置で測定された前記複数のコンポーネントキャリア間の受信品質差を補償するオフセット情報を受信するステップと、受信した前記ＴＰＣコマンドを、前記所定のコンポーネントキャリアと、前記所定のコンポーネントキャリアと周波数特性の異なるコンポーネントキャリアと、に対して共通に適用して、前記オフセット情報を考慮して各コンポーネントキャリアの送信電力を設定するステップと、を有することを特徴とする。
【００１７】
この構成によれば、あるＣＣに対するUL  grant（DCI  format0）に含まれるＴＰＣコマンド、あるいはgroup  TPC  command（DCI  format3/3A）を全てのコンポーネントキャリアに適用することができるため、上りリンク伝送に割り当てられていないコンポーネントキャリアにおいてもｆ（ｉ）を設定して送信電力を適切に制御することができる。
【００１８】
本発明の移動端末装置の一は、複数のコンポーネントキャリアを含むシステム帯域で無線通信を行う移動端末装置であって、無線基地局装置で生成された所定のコンポーネントキャリアに対応するＴＰＣコマンドを受信するＴＰＣコマンド受信部と、前記ＴＰＣコマンド受信部で受信した前記ＴＰＣコマンドを、前記所定のコンポーネントキャリアと、前記所定のコンポーネントキャリアと周波数特性の異なるコンポーネントキャリアと、に対して共通に適用して、前記無線基地局装置で測定された前記複数のコンポーネントキャリア間の受信品質差を補償するオフセット情報を考慮して各コンポーネントキャリアの送信電力を設定する送信電力設定部と、を有することを特徴とする。
【００１９】
本発明の無線基地局装置の一は、複数のコンポーネントキャリアを含むシステム帯域で無線通信を行う移動端末装置に対して、各コンポーネントキャリア間の受信品質差を測定し、前記受信品質差を考慮した各コンポーネントキャリア固有の目標受信電力を生成して前記移動端末装置に通知する目標受信電力生成部と、前記複数のコンポーネントキャリアにそれぞれ対応するＴＰＣコマンドを生成して前記移動端末装置に通知するＴＰＣコマンド生成部と、を有し、所定のコンポーネントキャリアに対応する前記ＴＰＣコマンドは、前記所定のコンポーネントキャリアと、前記所定のコンポーネントキャリアと周波数特性の異なるコンポーネントキャリアと、に対して共通に適用して、前記目標受信電力を考慮して各コンポーネントキャリアの送信電力を設定するために前記移動端末装置によって用いられることを特徴とする。
【発明の効果】
【００２０】
本発明によれば、複数のコンポーネントキャリアを含むシステム帯域で無線通信を行う移動端末装置において、各コンポーネントキャリアにおける上りリンクの送信電力を適切に制御することができる。
【図面の簡単な説明】
【００２１】
【図１】ＬＴＥ−Ａで定められた階層型帯域幅構成の一例を示す図である。
【図２】ＬＴＥ−Ａで定められた階層型帯域幅構成の一例を示す図である。
【図３】本発明の実施の形態に係る第１の送信電力制御を説明するための図である。
【図４】本発明の実施の形態に係る第１の送信電力制御を説明するためのフロー図である。
【図５】本発明の実施の形態に係る移動通信システムの構成を説明するための図である。
【図６】本発明の実施の形態に係る移動端末装置の全体構成を示すブロック図である。
【図７】本発明の実施の形態に係る移動端末装置が有するベースバンド信号処理部の機能ブロック図の一例を示す図である。
【図８】本発明の実施の形態に係る無線基地局装置の全体構成を示すブロック図である。
【図９】本発明の実施の形態に係る無線基地局装置が有するベースバンド信号処理部の機能ブロック図の一例を示す図である。
【図１０】本発明の実施の形態に係る第２の送信電力制御を説明するための図である。
【図１１】本発明の実施の形態に係る第２の送信電力制御を説明するためのフロー図である。
【図１２】本発明の実施の形態に係る移動端末装置が有するベースバンド信号処理部の機能ブロック図の他の一例を示す図である。
【図１３】本発明の実施の形態に係る無線基地局装置が有するベースバンド信号処理部の機能ブロック図の他の一例を示す図である。
【図１４】UL  grant（DCI  format0）を用いて、各コンポーネントキャリアに適用するＴＰＣコマンドをそれぞれ送信する場合の送信電力制御を説明する図である。
【発明を実施するための形態】
【００２２】
以下、本発明の実施の形態について添付図面を参照して詳細に説明する。なお、本実施の形態においては、本発明をLTE-Advancedに適用した例について説明するが、本発明はLTE-Advancedに適用した場合に限定されるものではない。
【００２３】
本発明が適用される通信システムは、複数のコンポーネントキャリアを追加又は削除してシステム帯域を構成するキャリアアグリゲーションが行われる。はじめに図１を参照してキャリアアグリゲーションについて説明する。
【００２４】
図１は、ＬＴＥ−Ａで合意されている階層型帯域幅構成を示す図である。図１に示す例は、複数のコンポーネントキャリア（ＣＣ）で構成される第１システム帯域を持つ第１移動通信システムであるＬＴＥ−Ａシステムと、１つのコンポーネントキャリアで構成される第２システム帯域を持つ第２移動通信システムであるＬＴＥシステムが併存する場合の階層型帯域幅構成である。ＬＴＥ−Ａシステムにおいては、例えば、最大１００ＭＨｚの可変のシステム帯域幅で無線通信し、ＬＴＥシステムにおいては、最大２０ＭＨｚの可変のシステム帯域幅で無線通信する。ＬＴＥ−Ａシステムのシステム帯域は、ＬＴＥシステムのシステム帯域を一単位とする少なくとも一つのコンポーネントキャリアを含み、ダイナミックに又は準静的にコンポーネントキャリア数を追加または削除する。このように、複数のコンポーネントキャリアで広帯域化することをキャリアアグリゲーションという。
【００２５】
例えば、図１においては、ＬＴＥ−Ａシステムのシステム帯域は、ＬＴＥシステムのシステム帯域（ベース帯域：２０ＭＨｚ）を一つのコンポーネントキャリアとする５つのコンポーネントキャリアの帯域を含むシステム帯域（２０ＭＨｚ×５＝１００ＭＨｚ）となっている。図１においては、移動端末ＵＥ（User  Equipment）＃１は、ＬＴＥ−Ａシステム対応（ＬＴＥシステムにも対応）のユーザ端末であり、１００ＭＨｚまでのシステム帯域に対応可能である。ＵＥ＃２は、ＬＴＥ−Ａシステム対応（ＬＴＥシステムにも対応）のユーザ端末であり、４０ＭＨｚ（２０ＭＨｚ×２＝４０ＭＨｚ）までのシステム帯域に対応可能である。ＵＥ＃３は、ＬＴＥシステム対応（ＬＴＥ−Ａシステムには対応せず）のユーザ端末であり、２０ＭＨｚ（ベース帯域）までのシステム帯域に対応可能である。
【００２６】
また、図２に示すように、キャリアアグリゲーションは、同一周波数バンド（Intra-band）内（図２（ａ）参照）や、異なる周波数バンド（Inter-band）間（図２（ｂ）参照）において実現することができる。異なる周波数バンドとしては、例えば、８００ＭＨｚ帯と２ＧＨｚ帯のコンポーネントキャリアを組み合わせてシステム帯域を構成することができる。
【００２７】
キャリアアグリゲーションの導入に伴い、コンポーネントキャリア毎に上りリンクの送信電力を適切に制御することが必要となるが、上述したように、複数のコンポーネントキャリア毎に個別のＴＰＣコマンドをそれぞれ設定する方法では、コンポーネントキャリア毎に上りリンクの送信電力制御を適切に設定することが困難となる。
【００２８】
そこで、本発明者が移動端末装置の各コンポーネントキャリアにおける上りリンクの送信電力を適切に制御する方法に関して検討した結果、複数のコンポーネントキャリアの少なくとも一部にＴＰＣコマンドを共通に適用し、ｆ（ｉ）を各コンポーネントキャリア共通のパラメータとして各コンポーネントキャリアの送信電力を制御する点に着目し本願発明に至った。
【００２９】
以下に、複数のコンポーネントキャリアを含むシステム帯域で無線通信を行う移動端末装置において上りリンクの送信電力を適切に制御する送信電力制御について具体的に説明する。
【００３０】
（第１の送信電力制御）
図３は、本実施の形態で示す第１の送信電力制御が適用される場合の概略図を示す。移動端末装置１００は、複数のコンポーネントキャリアを含むシステム帯域で無線通信を行うものであり（ここでは、ＣＣ＃１、ＣＣ＃２）、無線基地局装置２００との間でコンポーネントキャリア毎に下りシンク信号を受信し、上りリンク信号を送信できる構成を有している。無線基地局装置２００は、移動端末装置１００から受信した上りリンクのサウンディング用の参照信号（ＳＲＳ：Sounding  Reference  Signal）を用いて、移動端末装置１００の受信ＳＩＮＲ（Signal  to  Interference  plus  Noise  Ratio）を測定し、この受信ＳＩＮＲと予め設定された目標受信ＳＩＮＲとの差分から各コンポーネントキャリアのＴＰＣコマンドを生成することができる。無線基地局装置２００で生成されたＴＰＣコマンドは、ＰＤＣＣＨ（Physical  Downlink  Control  Channel）により移動端末装置１００に通知され、移動端末装置１００の送信電力が制御される。
【００３１】
本実施の形態で示す第１の送信電力制御は、複数のコンポーネントキャリアを含むシステム帯域で無線通信を行う移動端末装置１００に対して、無線基地局装置２００で生成されたＴＰＣコマンドを通知し、移動端末装置１００が受信した所定のコンポーネントキャリアに対応するＴＰＣコマンドを複数のコンポーネントキャリアに共通して適用し、各コンポーネントキャリアの送信電力を設定する。移動端末装置１００における各コンポーネントキャリアの送信電力の設定は、上記（１）式を適用することができる。
【００３２】
つまり、本実施の形態の第１の送信電力制御では、受信したＴＰＣコマンドを当該ＴＰＣコマンドに対応するコンポーネントキャリアのみに適用してｆ（ｉ）を設定するのでなく、複数のコンポーネントキャリアに対して同一のＴＰＣコマンドを共通して適用してｆ（ｉ）を設定し、上記（１）式を用いて各コンポーネントキャリアの送信電力の設定を行う。このため、複数のコンポーネントキャリアの中で適用するＴＰＣコマンドに対応するコンポーネントキャリアに対しては、従来と同様にｆ（ｉ）が設定されて送信電力が決定されるが、他のコンポーネントキャリアに対しては、異なるコンポーネントキャリアに対応するＴＰＣコマンドが適用されるため、従来とは異なるｆ（ｉ）が共通に設定されて送信電力が決定される構成となる。
【００３３】
本実施の形態の第１の送信電力制御を適用することにより、UL  grant（DCI  format0）に含まれるＴＰＣコマンド、あるいはgroup  TPC  command（DCI  format3/3A）を全てのコンポーネントキャリアに適用させる構成とすることができるため、上りリンク伝送に割り当てられていないコンポーネントキャリアにおいてもｆ（ｉ）を設定して送信電力を適切に制御することが可能となる。また、UL  grant（DCI  format0）の送信のみでよく（group  TPC  command（DCI  format3/3A）を必ずしも送らなくてもよく）なるため、Ｌ１／Ｌ２シグナリングオーバーヘッドを低減することが可能となる。
【００３４】
また、第１の送信電力制御において、無線基地局装置２００で複数のコンポーネントキャリア間の受信品質差を測定し、当該受信品質差を補償するオフセット情報を移動端末装置１００に通知し、各コンポーネントキャリアの送信電力の設定において、オフセット情報を考慮して送信電力を決定することが好ましい。無線基地局装置２００は、たとえば移動端末装置１００の上りリンクのサウンディング用の参照信号（ＳＲＳ）を用いて、移動端末装置１００のコンポーネントキャリア毎の上りリンク受信レベルを測定することにより受信品質差を求めることができる。
【００３５】
これにより、複数のコンポーネントキャリア間の周波数特性が異なる場合（異なる周波数バンド（Inter-band  CA）間のキャリアアグリゲーション）に、複数のコンポーネントキャリアに同じＴＰＣコマンドを適用する場合であっても、送信電力を適切に設定することが可能となる。
【００３６】
オフセット情報は、各コンポーネントキャリア間の受信品質差が考慮された各コンポーネントキャリア固有の目標受信電力（CC-Specific  P0_PUSCH）とすることができる。この場合、無線基地局装置２００において測定した受信品質差を補償するオフセット情報を、開ループＴＰＣパラメータに適用させることとなる。
【００３７】
以下に、第１の送信電力制御の具体的な手順について図４を参照して説明する。
【００３８】
まず、無線基地局装置２００が無線リソースを割り当てる移動端末装置１００のコンポーネントキャリア間の受信品質差を測定し、当該受信品質差を各コンポーネントキャリアの開ループＴＰＣパラメータの目標受信電力（P0_PUSCH）にそれぞれ適用して、移動端末装置１００に通知する（ｓｔｅｐ１１）。
【００３９】
次に、無線基地局装置２００がＬ１／Ｌ２シグナリングで、ＴＰＣコマンドを移動端末装置１００に通知する（ｓｔｅｐ１２）。
【００４０】
移動端末装置１００は、無線基地局装置２００から通知されたＴＰＣコマンドを受信した後、当該ＴＰＣコマンドを全てのコンポーネントキャリアに適用して、各コンポーネントキャリアの送信電力を設定する（ｓｔｅｐ１３）。次いで、移動端末装置１００は、設定された送信電力により割り当てられたリソースの上りデータ送信を行う（ｓｔｅｐ１４）。
【００４１】
ｓｔｅｐ１２の移動端末装置１００へのＴＰＣコマンドの通知において、ＴＰＣコマンドは、ＰＤＣＣＨ（UL  grant（DCI  format0）又はgroup  TPC  command（DCI  format3/3A））により送信することができるが、UL  grant（DCI  format0）で送信することによりＬ１／Ｌ２シグナリングオーバーヘッドを低減することができる。また、ｓｔｅｐ１３の各コンポーネントキャリアの送信電力の設定において、ｓｔｅｐ１１で通知された目標受信電力（P0_PUSCH）に関する情報を考慮して送信電力を決定することにより、複数のコンポーネントキャリア間の周波数特性が異なる場合（異なる周波数バンド（Inter-band  CA）であっても、送信電力を適切に設定することができる。
【００４２】
以下に、第１の送信電力制御を適用する移動端末装置及び無線基地局装置等の構成について説明する。ここでは、ＬＴＥ−Ａ方式のシステム（ＬＴＥ−Ａシステム）に対応する無線基地局装置及び移動端末装置を用いる場合について説明する。
【００４３】
まず、図５を参照しながら、移動端末装置１００及び無線基地局装置２００を有する移動通信システム１について説明する。図５は、本発明の一実施の形態に係る移動端末装置１００及び無線基地局装置２００を有する移動通信システム１の構成を説明するための図である。なお、図５に示す移動通信システム１は、例えば、ＬＴＥシステム又はＳＵＰＥＲ  ３Ｇが包含されるシステムである。また、この移動通信システム１は、ＩＭＴ−Ａｄｖａｎｃｅｄと呼ばれても良いし、４Ｇと呼ばれても良い。
【００４４】
図５に示すように、移動通信システム１は、無線基地局装置２００と、この無線基地局装置２００と通信する複数の移動端末装置１００（１００１、１００２、１００３、・・・１００ｎ、ｎはｎ＞０の整数）とを含んで構成されている。無線基地局装置２００は、上位局装置３０と接続され、この上位局装置３０は、コアネットワーク４０と接続される。移動端末装置１００は、セル５０において無線基地局装置２００と通信を行っている。なお、上位局装置３０には、例えば、アクセスゲートウェイ装置、無線ネットワークコントローラ（ＲＮＣ）、モビリティマネジメントエンティティ（ＭＭＥ）等が含まれるが、これに限定されるものではない。
【００４５】
移動通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）又はクラスタ化DFT拡散ＯＦＤＭ（Clustered  DFT-Spread  OFDM）が適用される。
【００４６】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。クラスタ化ＤＦＴ拡散ＯＦＤＭは、非連続的なクラスタ化されたサブキャリアのグループ（クラスタ）を１台の移動端末ＵＥに割り当て、各クラスタに離散フーリエ変換拡散ＯＦＤＭを適用することにより、上りリンクの多元接続を実現する方式である。
【００４７】
ここで、ＬＴＥシステムにおける通信チャネルについて説明する。下りリンクについては、各移動端末装置１００で共有されるＰＤＳＣＨと、下りＬ１／Ｌ２制御チャネル（ＰＤＣＣＨ、ＰＣＦＩＣＨ、ＰＨＩＣＨ）とが用いられる。このＰＤＳＣＨにより、ユーザデータ、すなわち、通常のデータ信号が伝送される。送信データは、このユーザデータに含まれる。なお、送信識別ビットを含むＵＬスケジューリンググラント（UL  grant）は、Ｌ１／Ｌ２制御チャネル（ＰＤＣＣＨ）により移動端末装置１００に通知される。
【００４８】
上りリンクについては、各移動端末装置１００で共有して使用されるＰＵＳＣＨと、上りリンクの制御チャネルであるＰＵＣＣＨとが用いられる。このＰＵＳＣＨにより、ユーザデータが伝送される。また、ＰＵＣＣＨにより、下りリンクの無線品質情報（ＣＱＩ：Channel  Quality  Indicator）等が伝送される。
【００４９】
次に、図６を参照して、移動端末装置の機能構成について説明する。図６は、第１の送信電力制御を適用する移動端末装置の機能ブロック図の一例である。
【００５０】
図６に示すように、移動端末装置１００ｎは、送受信アンテナ１０２と、送受信アンテナ１０２に対応したアンプ部１０４と、送受信部１０６と、ベースバンド信号処理部１０８と、呼処理部１１０と、アプリケーション部１１２とを備えて構成されている。
【００５１】
上りリンクのデータについては、アプリケーション部１１２からベースバンド信号処理部１０８に入力される。ベースバンド信号処理部１０８では、再送制御（H-ARQ（Hybrid  ARQ））の処理、スケジューリング、伝送フォーマット選択、チャネル符号化、送信電力設定などがなされて、アンテナ毎に送受信部１０６に転送される。送受信部１０６では、ベースバンド信号処理部１０８から出力されたベースバンド信号をアンテナ毎に無線周波数信号へ周波数変換する。周波数変換された信号は、その後、アンプ部１０４で増幅されて送受信アンテナ１０２からアンテナ毎に送信される。
【００５２】
下りリンクのデータについては、送受信アンテナ１０２で受信した無線周波数信号がアンプ部１０４において、ＡＧＣ（Auto  Gain  Control）の下で受信電力が一定電力に補正されるように増幅される。増幅された無線周波数信号は、送受信部１０６においてベースバンド信号へ周波数変換される。このベースバンド信号は、ベースバンド信号処理部１０８で所定の処理（誤り訂正、複合など）がなされた後、呼処理部１１０及びアプリケーション部１１２に転送される。呼処理部１１０は、無線基地局装置との通信の管理等を行い、アプリケーション部１１２は、物理レイヤやＭＡＣレイヤより上位のレイヤに関する処理等を行う。
【００５３】
次に、図７を参照して、上記図６に示した移動端末装置のベースバンド処理部の機能構成について説明する。
【００５４】
ベースバンド信号処理部１０８は、レイヤ１処理部１０８１と、ＭＡＣ処理部１０８２と、ＲＬＣ処理部１０８３と、ＴＰＣコマンド受信部１０８５と、送信電力設定部１０８６とを有している。また、各コンポーネントキャリアの送信電力の設定において、複数のコンポーネントキャリア間の受信品質差を補償するオフセット情報を考慮して決定する構成とする場合には、目標受信電力（P0_PUSCH）受信部１０８７を設けた構成とすることができる。
【００５５】
レイヤ１処理部１０８１は、主に物理レイヤに関する処理をする。レイヤ１処理部１０８１では、例えば、下りリンクで受信した信号に対して、チャネル復号化、離散フーリエ変換（ＤＦＴ）周波数デマッピング、逆フーリエ変換（ＩＦＦＴ）、データ復調等の処理が行われる。また、上りリンクで送信する信号に対して、チャネル符号化、データ変調、周波数マッピング、逆フーリエ変換（ＩＦＦＴ）等の処理を行う。
【００５６】
ＭＡＣ処理部１０８２は、下りリンクで受信した信号に対するＭＡＣレイヤでの再送制御（ＨＡＲＱ）、下りリンクに対するスケジューリング情報の解析（ＰＤＳＣＨの伝送フォーマットの特定、ＰＤＳＣＨのリソースブロックの特定）等を行う。また、ＭＡＣ処理部１０８２は、上りリンクで送信する信号に対するＭＡＣ再送制御、上りスケジューリング情報の解析（ＰＵＳＣＨの伝送フォーマットの特定、ＰＵＳＣＨのリソースブロックの特定等の処理）等を行う。
【００５７】
ＲＬＣ処理部１０８３は、上りリンクで受信したパケット、およびアプリケーション部１１２から受け取る下りリンクで送信するパケットに対して、パケットの分割、パケットの結合、ＲＬＣレイヤでの再送制御等をする。
【００５８】
P0_PUSCH受信部１０８７は、複数のコンポーネントキャリア間の受信品質差が考慮された各コンポーネントキャリア固有の目標受信電力（CC-Specific  P0_PUSCH）に関する情報を受信する。
【００５９】
ＴＰＣコマンド受信部１０８５は、複数のコンポーネントキャリアに対応するＴＰＣコマンドを受信し、送信電力設定部１０８６に適用する。
【００６０】
送信電力設定部１０８６は、ＴＰＣコマンド受信部１０８５で受信したＴＰＣコマンドを複数のコンポーネントキャリアに共通して適用することによりｆ（ｉ）を規定し、各コンポーネントキャリアの送信電力を上記（１）式を用いて設定する。また、P0_PUSCH受信部１０８７を設ける場合には、当該P0_PUSCH受信部１０８７で受信した各コンポーネントキャリア固有の目標受信電力を、開ループＴＰＣに適用して各コンポーネントキャリアの送信電力を設定する。
【００６１】
つまり、第１の送信電力制御においては、複数のコンポーネントキャリアのうちの一つのコンポーネントキャリア（共通に使用するＴＰＣコマンドに対応するコンポーネントキャリア）に対しては、基地局装置−移動端末装置間の通信環境に応じて決定されたＴＰＣコマンドから得られた補正値ｆ（ｉ）を用いて上記式（１）により送信電力を設定する。一方、その他のコンポーネントキャリアに対しては、基地局装置−移動端末装置間の通信環境に応じて直接決定されていないＴＰＣコマンドから得られた補正値ｆ（ｉ）を用いて上記式（１）により送信電力を設定することになる。このように、第１の送信電力制御では、従来と異なり、各コンポーネントキャリアにおいて閉ループＴＰＣパラメータであるｆ（ｉ）が共通に設定されて送信電力が決定されるので、基地局装置−移動端末装置間の通信環境に応じて直接決定されていないＴＰＣコマンドから得られた補正値ｆ（ｉ）を用いることになる。この場合において、各コンポーネントキャリアの周波数特性が異なる場合には、受信品質差を補償するオフセット情報を上記（１）式における開ループＴＰＣパラメータに適用することにより各コンポーネントキャリアにおける送信電力を適切に調整することができる。
【００６２】
本実施の形態では、ＴＰＣコマンド受信部１０８５で受信したＴＰＣコマンドを複数のコンポーネントキャリアに共通して適用するのであればよく、適用するＴＰＣコマンドは適宜設定することができる。
【００６３】
例えば、ＴＰＣコマンド受信部１０８５において、複数のコンポーネントキャリア毎に設定された各コンポーネントキャリア固有のＴＰＣコマンドを受信する場合には、特定のコンポーネントキャリアに対応するＴＰＣコマンドを複数のコンポーネントキャリアに共通して適用し、各コンポーネントキャリアの送信電力を設定する。この場合、各コンポーネントキャリアに固有のＴＰＣコマンドを受信する毎に、当該受信したＴＰＣコマンドを複数のコンポーネントキャリアに共通して適用して送信電力を適宜設定する構成とすることができる。他にも、複数のコンポーネントキャリアのＴＰＣコマンドから特定のコンポーネントキャリアに対応するＴＰＣコマンドを選択して、複数のコンポーネントキャリアに共通して適用して送信電力を設定する構成としてもよい。
【００６４】
また、個別のコンポーネントキャリアのＴＰＣコマンドを複数のコンポーネントキャリアに共通して用いるのではなく、複数のコンポーネントキャリアに共通して使用するＴＰＣコマンドを別に設定しても良い。この場合には、ＴＰＣコマンド受信部１０８５において、複数のコンポーネントキャリアに共通して使用するＴＰＣコマンドを受信し、当該共通して使用するＴＰＣコマンドを複数のコンポーネントキャリアに共通して適用し、各コンポーネントキャリアの送信電力を設定する。
【００６５】
次に、図８を参照して、無線基地局装置の機能構成について説明する。図８は、第１の送信電力制御を適用する無線基地局装置の機能ブロック図の一例である。
【００６６】
図８に示すように、無線基地局装置２００は、送受信アンテナ２０２と、アンプ部２０４と、送受信部２０６と、ベースバンド信号処理部２０８と、呼処理部２１０と、伝送路インターフェース２１２とを備えて構成されている。送受信アンテナ２０２は複数有していてもよい。
【００６７】
上りリンクのデータについては、送受信アンテナ２０２で受信した無線周波数信号がアンプ部２０４において、ＡＧＣの下で受信電力が一定電力に補正されるように増幅される。増幅された無線周波数信号は、送受信部２０６においてベースバンド信号へ周波数変換される。このベースバンド信号は、ベースバンド信号処理部２０８で所定の処理（誤り訂正、複合など）がなされた後、伝送路インターフェース２１２を介して図示しないアクセスゲートウェイ装置に転送される。アクセスゲートウェイ装置は、コアネットワークに接続されており、各移動端末を管理している。
【００６８】
下りリンクのデータについては、上位装置から伝送路インターフェース２１２を介してベースバンド信号処理部２０８に入力される。ベースバンド信号処理部２０８では、再送制御（H-ARQ（Hybrid  ARQ））の処理、スケジューリング、伝送フォーマット選択、チャネル符号化等がなされて送受信部２０６に転送される。送受信部２０６では、ベースバンド信号処理部２０８から出力されたベースバンド信号を無線周波数信号へ周波数変換する。周波数変換された信号は、その後、アンプ部２０４で増幅されて送受信アンテナ２０２から送信される。
【００６９】
呼処理部２１０は、上位装置の無線制御局との間で呼処理制御信号を送受信し、無線基地局装置２００の状態管理やリソース割り当てをする。なお、レイヤ１処理部２０８１とＭＡＣ処理部２０８２における処理は、呼処理部２１０において設定されている、無線基地局装置２００と移動端末装置１００ｎとの間の通信状態に基づいてなされる。
【００７０】
次に、図９を参照して、ベースバンド処理部の機能構成について説明する。図９は、無線基地局装置のベースバンド信号処理部の機能ブロック図である。
【００７１】
図９に示すように、ベースバンド信号処理部２０８は、レイヤ１処理部２０８１と、MAC（Medium  Access  Control）処理部２０８２と、RLC処理部２０８３と、ＴＰＣコマンド生成部２０８５と、目標受信電力（P0_PUSCH）生成部２０８６とを有している。
【００７２】
レイヤ１処理部２０８１は、主に物理レイヤに関する処理を行う。レイヤ１処理部２０８１では、例えば、上りリンクで受信した信号に対して、チャネル復号化、離散フーリエ変換（ＤＦＴ）、周波数デマッピング、逆フーリエ変換（ＩＦＦＴ）、データ復調等の処理が行われる。また、下りリンクで送信する信号に対して、チャネル符号化、データ変調、周波数マッピング、逆フーリエ変換（IFFT）等の処理を行う。
【００７３】
MAC処理部２０８２は、上りリンクで受信した信号に対するMACレイヤでの再送制御（HARQ）、上り／下りリンクに対するスケジューリング、PUSCH/PDSCHの伝送フォーマットの選択、PUSCH/PDSCHのリソースブロックの選択等の処理を行う。
【００７４】
RLC処理部２０８３は、上りリンクで受信したパケット／下りリンクで送信するパケットに対して、パケットの分割、パケットの結合、RLCレイヤでの再送制御等を行う。
【００７５】
ＴＰＣコマンド生成部２０８５は、各コンポーネントキャリアに対応するＴＰＣコマンドを、移動端末装置ｎ毎又は全移動端末装置に対して共通に生成する。
【００７６】
P0_PUSCH生成部２０８６は、複数のコンポーネントキャリア間の受信品質差を測定し、当該受信品質差を考慮した各コンポーネントキャリア固有の目標受信電力（CC-Specific  P0_PUSCH）を生成し、移動端末装置に通知する。
【００７７】
以下に、第１の送信電力制御を適用する移動端末装置及び無線基地局装置を用いた送信電力制御方法について具体的に説明する。
【００７８】
まず、基地局装置がP0_PUSCH生成部２０８６において、複数のコンポーネントキャリア間の受信品質差を測定し、当該受信品質差を考慮した各コンポーネントキャリア固有の目標受信電力（CC-Specific  P0_PUSCH）を生成して移動端末装置に通知する。移動端末装置はP0_PUSCH受信部１０８７において、基地局装置から通知された各コンポーネントキャリア固有の目標受信電力（CC-Specific  P0_PUSCH）に関する情報を受信する。
【００７９】
次に、基地局装置がＴＰＣコマンド生成部２０８５において、各コンポーネントキャリアに対応するＴＰＣコマンドを生成して移動端末装置に通知する。移動端末装置は無線基地局装置で生成されたＴＰＣコマンドをＴＰＣコマンド受信部１０８５で受信した後、送信電力設定部１０８６に適用する。続いて、移動局装置は送信電力設定部１０８６において、ＴＰＣコマンド受信部１０８５で受信したＴＰＣコマンドを複数のコンポーネントキャリアに共通して適用し、各コンポーネントキャリアの送信電力を設定する。
【００８０】
このように、本実施の形態に係る第１の送信電力制御方法によれば、いずれかのコンポーネントキャリアにおけるUL  grant（DCI  format0）に含まれるＴＰＣコマンド、あるいはgroup  TPC  command（DCI  format3/3A）を全てのコンポーネントキャリアに適用させる構成とすることができるため、上りリンク伝送に割り当てられていないコンポーネントキャリアにおいてもｆ（ｉ）を設定して送信電力を適切に制御することが可能となる。また、UL  grant（DCI  format0）の送信のみでよく（group  TPC  command（DCI  format3/3A）を必ずしも送らなくてもよく）なるため、Ｌ１／Ｌ２シグナリングオーバーヘッドを低減することが可能となる。
【００８１】
次に、上述した第１の送信電力制御と異なる送信電力制御について説明する。なお、以下の説明においては、上記第１の送信電力制御と異なる部分について中心に説明し、同様の部分に関する詳細な説明は省略する。
【００８２】
（第２の送信電力制御）
図１０は、本実施の形態で示す第２の送信電力制御が適用される場合の概略図を示す。本実施の形態で示す第２の送信電力制御は、複数のコンポーネントキャリアの中でＴＰＣコマンドを共通して適用する特定のコンポーネントキャリア群を選択して移動端末装置１００に通知して、各コンポーネントキャリアの送信電力を設定する。
【００８３】
つまり、本実施の形態の第２の送信電力制御では、特定のコンポーネントキャリア群に対してはＴＰＣコマンドを共通して適用し、その他のコンポーネントキャリアに対しては各コンポーネントキャリアに対応するＴＰＣコマンドをそれぞれ適用して、各コンポーネントキャリアの送信電力を設定する。例えば、複数のコンポーネントキャリアの中で、周波数特性が同じ又は近似するコンポーネントキャリアについてはＴＰＣコマンドを共通して適用し、周波数特性が異なるコンポーネントキャリアについてはそれぞれ対応するＴＰＣコマンドを適用する。
【００８４】
これにより、比較的少ないＬ１／Ｌ２シグナリングオーバーヘッドにより制御することが可能となると共に、複数のコンポーネントキャリア間の周波数特性の相違を考慮したＴＰＣコマンドによる送信電力の設定が可能となる。
【００８５】
コンポーネントキャリアの周波数特性に関しては、例えば、周波数選択性フェージングを基準に判断することができる。この場合、周波数特性が同じ又は近似するとは、比較するコンポーネントキャリアにおける周波数選択性フェージングの影響がほぼ同等とすることができ、同一のＴＰＣコマンドを用いる制御を許容できる程度を指し、周波数特性が異なるとは、比較するコンポーネントキャリアにおける周波数選択性フェージングの影響が異なり、同一のＴＰＣコマンドを用いる制御では許容できない場合をいう。他にも、同一周波数バンド（Intra-band）内のコンポーネントキャリアに対しては周波数特性が同じとして常に共通のＴＰＣコマンドが適用されるように設定し、異なる周波数バンド（Inter-band）間のコンポーネントキャリアに対しては周波数特性が異なるとして個別のＴＰＣコマンドが適用されるように固定的に設定してもよい。
【００８６】
ＴＰＣコマンドを共通して適用する特定のコンポーネントキャリア群に関する情報は、例えば、上位レイヤシグナリング（ＲＲＣシグナリング）を用いて無線基地局装置２００から移動端末装置１００に通知する構成とすることができる。これにより、上位レイヤにおいてＴＰＣコマンドを対応するコンポーネントキャリアのみに適用してｆ（ｉ）を固有のコンポーネントキャリアのパラメータとする個別制御モードと、ＴＰＣコマンドを共通して適用してｆ（ｉ）を特定のコンポーネントキャリア群共通のパラメータとする共通制御モードを切り替える構成とすることができる。なお、例えば、コンポーネントキャリア数が３以上と多い場合は個別制御されるコンポーネントキャリアと共通制御されるコンポーネントキャリアが共存していてもよい。なお、ＲＲＣシグナリングについて、例えば１−ｂｉｔシグナリングで全コンポーネントキャリア個別/共通を切り替えるのみでもよいし、複数ｂｉｔシグナリングとして、共通制御モードを適用するコンポーネントキャリアの組み合わせを細かく指定できるようにしてもよい。さらに、group  TPC  command（DCI  format3/3A）の場合は、特別のシグナリングが不要でRRC configureする際にTPC  commandを適用するコンポーネントキャリア（複数）を設定しても良い。
【００８７】
また、第２の送信電力制御において、特定のコンポーネントキャリア群の選択方法は、移動端末装置１００毎に独立に行ってもよいし、全ての移動端末装置１００に共通としてもよい。
【００８８】
以下に、第２の送信電力制御の具体的な手順について図１１を参照して説明する。
【００８９】
まず、無線基地局装置２００が移動端末装置１００の複数のコンポーネントキャリアの中でＴＰＣコマンドを共通して適用する特定のコンポーネントキャリア群を選択して移動端末装置に通知する（ｓｔｅｐ２１）。例えば、複数のコンポーネントキャリアの中で周波数特性が同一のコンポーネントキャリアを特定のコンポーネントキャリア群として選択し、ＲＲＣシグナリングを用いて移動端末装置毎に通知することができる。
【００９０】
次に、無線基地局装置２００は、Ｌ１／Ｌ２シグナリングで、複数のコンポーネントキャリアにそれぞれ適用するＴＰＣコマンドを移動端末装置１００に通知する（ｓｔｅｐ２２）。
【００９１】
移動端末装置１００は、受信したＴＰＣコマンドに対応するコンポーネントキャリアが特定のコンポーネントキャリア群のいずれかに該当するか（共通制御モードとするか）判断する（ｓｔｅｐ２３）。
【００９２】
受信した前記ＴＰＣコマンドに対応するコンポーネントキャリアが特定のコンポーネントキャリア群に含まれる場合（共通制御モードを適用する場合）には、受信したＴＰＣコマンドを特定のコンポーネントキャリア群全てに対して共通に適用して（ｓｔｅｐ２４）、特定のコンポーネントキャリア群の送信電力を設定する（ｓｔｅｐ２６）。
【００９３】
一方で、受信した前記ＴＰＣコマンドに対応するコンポーネントキャリアが特定のコンポーネントキャリア群のいずれにも該当しない場合（個別制御モードを適用する場合）には、受信したＴＰＣコマンドを対応するコンポーネントキャリアに対して個別に適用して（ｓｔｅｐ２５）、対応するコンポーネントキャリアの送信電力を設定する（ｓｔｅｐ２６）。
【００９４】
次いで、移動端末装置１００は、設定された送信電力により割り当てられたリソースの上りデータ送信を行う（ｓｔｅｐ２７）。
【００９５】
以下に、第２の送信電力制御を適用する移動端末装置及び無線基地局装置等の構成について説明する。ここでは、ＬＴＥ−Ａ方式のシステム（ＬＴＥ−Ａシステム）に対応する無線基地局装置及び移動端末装置を用いる場合について説明する。なお、移動端末装置及び無線基地局装置を有する移動通信システム、移動端末装置の機能構成、無線基地局装置の機能構成は、上記図５、図６、図８と同様であるので、その詳細な説明は省略する。
【００９６】
図１２を参照して、移動端末装置のベースバンド処理部の機能構成について説明する。図１２は、第２の送信電力制御を適用する移動端末装置のベースバンド信号処理部の機能ブロック図である。
【００９７】
ベースバンド信号処理部１０８は、レイヤ１処理部１０８１と、ＭＡＣ処理部１０８２と、ＲＬＣ処理部１０８３と、共通コンポーネントキャリア（CC-common  f(i)）通知信号受信部１０８４と、ＴＰＣコマンド受信部１０８５と、送信電力設定部１０８６とを有している。
【００９８】
共通コンポーネントキャリア通知信号受信部１０８４は、複数のコンポーネントキャリアの中でＴＰＣコマンドが共通に適用される特定のコンポーネントキャリア群に関する情報が通知される。当該情報は、無線基地局装置から送信されるＲＲＣシグナリングを用いることができる。
【００９９】
ＴＰＣコマンド受信部１０８５は、共通コンポーネントキャリア通知信号受信部１０８４で受信した情報に基づいて、受信したＴＰＣコマンドを所定のコンポーネントキャリアに適用するように制御する。
【０１００】
送信電力設定部１０８６は、ＴＰＣコマンド受信部１０８５で受信したＴＰＣコマンドを複数のコンポーネントキャリアにそれぞれ適用して、各コンポーネントキャリアの送信電力を設定する。具体的には、ＴＰＣコマンド受信部１０８５で受信したＴＰＣコマンドに対応するコンポーネントキャリアが特定のコンポーネントキャリア群に含まれる場合（共通制御モードを適用する場合）には、受信したＴＰＣコマンドを特定のコンポーネントキャリア群全てに対して共通に適用して送信電力を設定する。一方で、ＴＰＣコマンド受信部１０８５で受信したＴＰＣコマンドに対応するコンポーネントキャリアが特定のコンポーネントキャリア群のいずれにも該当しない場合（個別制御モードを適用する場合）には、受信したＴＰＣコマンドを対応するコンポーネントキャリアに対して個別に適用して送信電力を設定する。
【０１０１】
つまり、第２の送信電力制御においては、個別制御モードが適用されるコンポーネントキャリアとコンポーネントキャリア群のうちの一つのコンポーネントキャリア（共通に使用するＴＰＣコマンドに対応するコンポーネントキャリア）とに対しては、基地局装置−移動端末装置間の通信環境に応じて決定されたＴＰＣコマンドから得られた補正値ｆ（ｉ）を用いて上記式（１）により送信電力を設定する。一方、コンポーネントキャリア群の他のコンポーネントキャリアに対しては、基地局装置−移動端末装置間の通信環境に応じて直接決定されていないＴＰＣコマンドから得られた補正値ｆ（ｉ）を用いて上記式（１）により送信電力を設定することになる。このように、第２の送信電力制御では、従来と異なり、コンポーネントキャリア群において閉ループＴＰＣパラメータであるｆ（ｉ）が共通に設定されて送信電力が決定されるので、基地局装置−移動端末装置間の通信環境に応じて直接決定されていないＴＰＣコマンドから得られた補正値ｆ（ｉ）を用いることになる。ただし、コンポーネントキャリア群は、周波数選択性フェージングが等価と考えられるコンポーネントキャリアで構成されることが好ましい。
【０１０２】
次に、図１３を参照して、ベースバンド処理部の機能構成について説明する。図１３は、第２の送信電力制御を適用する無線基地局装置のベースバンド信号処理部の機能ブロック図である。
【０１０３】
図１３に示すように、ベースバンド信号処理部２０８は、レイヤ１処理部２０８１と、MAC（Medium  Access  Control）処理部２０８２と、RLC処理部２０８３と、共通コンポーネントキャリア設定部２０８４と、ＴＰＣコマンド生成部２０８５とを有している。
【０１０４】
共通コンポーネントキャリア（CC-common  f(i)）設定部２０８４は、移動端末装置の複数のコンポーネントキャリアの中でＴＰＣコマンドを共通して適用する特定のコンポーネントキャリア群を設定して移動端末装置に通知する。共通コンポーネントキャリア設定部２０８４された情報は、ＲＲＣシグナリングにより移動端末装置に通知することができる。
【０１０５】
ＴＰＣコマンド生成部２０８５は、複数のコンポーネントキャリアにそれぞれ対応するＴＰＣコマンドを生成して移動端末装置に通知する。
【０１０６】
以下に、第２の送信電力制御を適用する移動端末装置及び無線基地局装置を用いた送信電力制御方法について具体的に説明する。
【０１０７】
まず、基地局装置が共通コンポーネントキャリア設定部２０８４において、移動端末装置の複数のコンポーネントキャリアの中でＴＰＣコマンドを共通して適用する特定のコンポーネントキャリア群を設定して移動端末装置にＲＲＣシグナリングで通知する。移動局装置は、共通コンポーネントキャリア通知信号受信部１０８４において、基地局装置から通知された特定のコンポーネントキャリア群に関する情報を受信する。
【０１０８】
次に、基地局装置がＴＰＣコマンド生成部２０８５において、各コンポーネントキャリアに対応するＴＰＣコマンドを生成して移動端末装置に通知する。移動端末装置はＴＰＣコマンド受信部１０８５において、共通コンポーネントキャリア通知信号受信部１０８４で受信した情報に基づいて、受信したＴＰＣコマンドを所定のコンポーネントキャリアに適用するように制御する。
【０１０９】
次に、移動局装置は送信電力設定部１０８６において、ＴＰＣコマンド受信部１０８５で受信したＴＰＣコマンドに対応するコンポーネントキャリアが特定のコンポーネントキャリア群に含まれる場合に、受信したＴＰＣコマンドを特定のコンポーネントキャリア群全てに対して共通に適用して送信電力を設定する。また、ＴＰＣコマンド受信部１０８５で受信したＴＰＣコマンドに対応するコンポーネントキャリアが特定のコンポーネントキャリア群のいずれにも該当しない場合には、受信したＴＰＣコマンドを対応するコンポーネントキャリアに対して個別に適用して送信電力を設定する。
【０１１０】
このように、本実施の形態に係る第２の送信電力制御方法によれば、特定のコンポーネントキャリアに対して同一のＴＰＣコマンドを共通して適用するため、比較的少ないＬ１／Ｌ２シグナリングオーバーヘッドにより制御することが可能となると共に、複数のコンポーネントキャリア間の周波数特性の相違を考慮したＴＰＣコマンドによる送信電力の設定が可能となる。
【０１１１】
なお、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【０１１２】
以上説明したように、本発明は、複数のコンポーネントキャリアを含むシステム帯域で無線通信を行う移動端末装置の上りリンクの送信電力を適切に制御できるという効果を有し、特に上りリンクの送信電力を制御する送信電力制御方法、無線基地局装置および移動端末装置に有用である。
【符号の説明】
【０１１３】
１００  移動端末装置
１０２  送受信アンテナ
１０４  アンプ部
１０６  送受信部
１０８  ベースバンド信号処理部
１１０  呼処理部
１１２  アプリケーション部
１０８１  レイヤ１処理部
１０８２  ＭＡＣ処理部
１０８３  ＲＬＣ処理部
１０８４  共通コンポーネントキャリア通知信号受信部
１０８５  ＴＰＣコマンド受信部
１０８６  送信電力設定部
１０８７  目標受信電力（P0_PUSCH）受信部
２００  無線基地局装置
２０２  送受信アンテナ
２０４  アンプ部
２０６  送受信部
２０８  ベースバンド信号処理部
２１０  呼処理部
２１２  伝送路インターフェース
２０８１  レイヤ１処理部
２０８２  ＭＡＣ処理部
２０８３  ＲＬＣ処理部
２０８４  共通コンポーネントキャリア通知信号設定部
２０８５  ＴＰＣコマンド生成部
２０８６  目標受信電力（P0_PUSCH）生成部
【図１】
0005588236.tif 000002
【図２】
0005588236.tif 000003
【図３】
0005588236.tif 000004
【図４】
0005588236.tif 000005
【図５】
0005588236.tif 000006
【図６】
0005588236.tif 000007
【図７】
0005588236.tif 000008
【図８】
0005588236.tif 000009
【図９】
0005588236.tif 000010
【図１０】
0005588236.tif 000011
【図１１】
0005588236.tif 000012
【図１２】
0005588236.tif 000013
【図１３】
0005588236.tif 000014
【図１４】
0005588236.tif 000015